(57)【特許請求の範囲】
【請求項１】
通信回線間の接続交換を行う交換機を監視する交換機監視システムであって、
前記交換機から該交換機の動作状態の変化を通知する状態通知信号を受信する受信部と、
前記交換機を監視するオペレータが予め知っている原因によって生じる前記状態通知信号の種類を予め登録する蓄積手段と、
前記受信部が受信した状態通知信号の種類を判別する判別部と、
判別された前記状態通知信号の種類が前記蓄積手段に登録されている場合は、当該状態通知信号を前記オペレータに通知せずに、判別された前記状態通知信号の種類が前記蓄積手段に登録されていない場合は、当該状態通知信号を前記オペレータに通知する処理部と
を有することを特徴とする交換機監視システム。
【請求項２】
前記処理部による処理には、複数受信した状態通知信号の中から所定の状態通知信号を抽出し、抽出した状態通知信号を送信する処理が含まれることを特徴とする請求項１に記載の交換機監視システム。
【請求項３】
前記状態通知信号には、交換機を特定するための交換機識別情報が含まれ、前記判別手段は、前記交換機識別情報に基づいて状態通知信号の種類を判別することを特徴とする請求項１又は２に記載の交換機監視システム。
【請求項４】
前記交換機は複数設けられて相互に接続され、各交換機は、接続相手の動作状態が変化した場合に、その旨を状態通知信号として前記受信手段に送信する機能を有し、
前記判別手段は、同一の事象に基づく状態通知信号を複数受信した場合に、前記交換機識別情報に基づいて動作状態が変化した交換機を特定するとともに、これら複数の状態通知信号のうち状態が変化した交換機から送信された状態通知信号を選択する機能を有する
ことを特徴とする請求項３に記載の交換機監視システム。
【請求項５】
通信回線間の接続交換を行う交換機から送信される信号を集約する集約装置であって、
前記交換機から該交換機の動作状態の変化を通知する状態通知信号を受信する受信部と、
前記交換機を監視するオペレータが予め知っている原因によって生じる前記状態通知信号の種類を予め登録する蓄積手段と、
前記受信部が受信した状態通知信号の種類を判別する判別部と、
判別された前記状態通知信号の種類が前記蓄積手段に登録されている場合は、当該状態通知信号を前記オペレータに通知せずに、判別された前記状態通知信号の種類が前記蓄積手段に登録されていない場合は、当該状態通知信号を前記オペレータに通知する処理部と
を有することを特徴とする集約装置。
【請求項６】
通信回線間の接続交換を行う交換機を監視する交換機監視方法であって、
前記交換機の動作状態の変化を通知する状態通知信号の種類の中で、前記交換機を監視するオペレータが予め知っている原因によって生じる前記状態通知信号の種類を予め蓄積手段に登録する処理(1)と、
前記交換機から該交換機の動作状態の変化を通知する状態通知信号を受信する処理(2)と、
前記処理(2)で受信した状態通知信号の種類を判別する処理(3)と、
判別された前記状態通知信号の種類が前記蓄積手段に登録されている場合は、当該状態通知信号を前記オペレータに通知せずに、判別された前記状態通知信号の種類が前記蓄積手段に登録されていない場合は、当該状態通知信号を前記オペレータに通知する処理(4)と、
を有することを特徴とする交換機監視方法。
【請求項７】
前記状態通知信号には、交換機を特定するための交換機識別情報が含まれ、前記処理(3)には、前記交換機識別情報に基づいて状態通知信号の種類を判別する処理(7)が含まれることを特徴とする請求項６に記載の交換機監視方法。
【請求項８】
前記交換機は複数設けられて相互に接続され、前記処理(2)において、各交換機は、接続相手の動作状態が変化した場合に、その旨を状態通知信号として送信し、  前記処理(3)では、同一の事象に基づく状態通知信号を複数受信した場合に、
前記交換機識別情報に基づいて動作状態が変化した交換機を特定し、これら複数の状態通知信号のうち状態が変化した交換機から送信された状態通知信号を選択する
ことを特徴とする請求項７に記載の交換機監視方法。
【発明の詳細な説明】
【０００１】
【発明の属する技術分野】
本発明は、通信回線間の接続交換を行う交換機を監視する交換機監視システム、集約装置及び交換機監視方法に関する。
【０００２】
【従来の技術】
従来、電話回線等の通信回線間の接続交換を行う大規模な交換機システムを監視及び制御するオペレーションシステムが設けられる。図３は、従来のオペレーションシステムの概略構成を示すブロック図である。同図に示すように、従来のオペレーションシステムは、交換機Ａ〜Ｄを遠隔的に一元監視及び制御を行う集約装置５０と、オペレーターが交換機システムに対する操作を行う操作端末３で構成される。
【０００３】
集約装置５０は、交換機Ａ〜Ｄから送信されるメッセージを受信するメッセージ受信部２１と、メッセージ受信部２１が受信したメッセージを交換機毎に蓄積する管理テーブル２６ａを格納する管理データベース部２６とを備えている。メッセージ受信部２１は、各交換機Ａ〜Ｄから受信したメッセージを全て操作端末３に転送する。
【０００４】
このような従来のオペレーションシステムでは、例えば交換機Ａにおいて再開等の故障が発生するなど動作状態に変化が生じた場合、交換機Ａは集約装置５０に対して故障が発生した旨のメッセージＢを送信する。この場合、交換機Ｂ〜Ｄでは、交換機Ａに故障が発生したことによって交換機Ａに対する通信が確立しないことを検出し、メッセージ受信部２１に対して、「交換機Ａ向けの回線が使用できない」旨のメッセージＡを送信する。
【０００５】
これらのメッセージＡ及びＢを受信したメッセージ受信部２１は、メッセージを管理データベース部２６に蓄積するとともに、操作端末３に全メッセージＡ，Ｂを送信し、これらのメッセージを受信した操作端末３では、各メッセージを表示する。
【０００６】
交換機Ａに接続され且つ正常に動作している交換機Ｂ〜ＤからのメッセージＡは、故障が生じた交換機Ａの状態を把握する上で重要な情報となる。特に、メッセージＢを送信できない程に重大な故障が交換機Ａに生じた場合には、その重要性はより一層高まることとなる。
【０００７】
【発明が解決しようとする課題】
しかしながら、交換機Ａの動作状態の変化が、交換機Ａの工事やファイルの更新に基づくものであるなど、事前に把握できる場合には、上述した他の交換機Ｂ〜Ｄから送信されるメッセージＡの重要性は低いといえる。操作端末３側では、送信された全てのメッセージが表示されることから、このような重要性の低いメッセージが大量に受信された場合には、操作端末３において、真に重要なメッセージが混在していてもオペレータが見落とす可能性が高くなるという惧れがある。
【０００８】
そこで、本発明は斯かる問題点に鑑みてなされたものであり、通信回線間の接続交換を行う交換機から送信される状態通知信号のうち、真に重要性の高いもののみをオペレータに提示し、交換機システムの一元監視及び操作をより確実なものとすることのできる交換機監視システム、集約装置及び交換機監視方法を提供することを目的とする。
【０００９】
【課題を解決するための手段】
本発明に係る交換機監視システム、集約装置及び交換機監視方法は、通信回線間の接続交換を行う交換機を監視する際に、交換機からの状態通知信号を受信し、状態通知信号の種類と、種類に応じた処理に関する処理情報とを対応付けて蓄積しておき、受信した状態通知信号の種類を判別し、この判別結果に応じて蓄積手段を検索し、検索結果に応じて処理を行うことを特徴とするものである。
【００１０】
これらの発明によれば、蓄積手段に、予め交換機からの状態通知信号と、これに応じた処理とを蓄積しておき、この蓄積手段を検索することにより状態通知信号の重要度に応じた処理を行うことができ、交換機監視システムの適正な運用を確保することができる。
【００１１】
上記発明において、処理部による処理には、複数受信した状態通知信号の中から所定の状態通知信号を抽出し、抽出した状態通知信号を送信する処理が含まれることが好ましい。
【００１２】
これによれば、複数の状態通知信号を受信した場合に、操作端末等に重要な状態通知信号のみを抽出して送信することにより、重要度の低い状態通知信号が重複して操作端末に送信されることを防ぐことができ、重要な状態通知信号が見落とされる等の弊害を回避することができる。
【００１３】
上記発明において、状態通知信号には、交換機を特定するための交換機識別情報が含まれ、この交換機識別情報に基づいて状態通知信号の種類を判別することが好ましい。
【００１４】
これによれば、工事など予め知ることができる動作状態の変化が生じる端末機を蓄積手段に登録しておくことにより、状態通知信号の重要度をより精度良く判別することができる。
【００１５】
上記発明において、交換機は複数設けられて相互に接続され、各交換機は、接続相手の動作状態が変化した場合に、その旨を状態通知信号として送信する機能を有し、上記判別処理をするにあたって、同一の事象に基づく状態通知信号を複数受信した場合に、交換機識別情報に基づいて動作状態が変化した交換機を特定するとともに、これら複数の状態通知信号のうち状態が変化した交換機から送信された状態通知信号を選択することが好ましい。
【００１６】
これによれば、工事等に係る交換機に接続された他の交換機から同一内容の状態通知信号が送信された場合であっても、最も重要とされる動作通知信号のみを選択して、処理（操作端末への表示等）を行うことができる。
【００１７】
【発明の実施の形態】
（交換機監視システムの全体構成）
以下、本発明を適用した交換機監視システムの実施形態について説明する。図１は、本実施形態係る交換機監視システムを模式的に示す構成図である。
【００１８】
同図に示すように本実施形態に係る交換機監視システムは、交換機Ａ〜Ｄを監視するものであり、交換機Ａ〜Ｄを一元的に監視・制御する集約装置２と、この集約装置２に接続され、オペレータが本システムを操作するための操作端末３とを備えている。
【００１９】
交換機Ａ〜Ｄは、通信回線間の接続交換を行うものであり、それぞれが集約装置２に接続されて信号の送受信が可能となっているとともに、交換機同士も回線で相互に接続され、通信信号を中継しつつ信号の送受を行えるようになっている。同図においては、交換機Ａには、交換機Ｂ〜Ｄが接続された形態を例示している。
【００２０】
また、これら各交換機Ａ〜Ｄは、集約装置２に対してメッセージを送信する機能を有している。このメッセージは、自機において再開等の故障が生じるなど自機の動作状態に変化が生じたり、接続相手（例えば、交換機Ｂ〜Ｄに対する交換機Ａ）との通信が確立しないなど接続相手の動作状態に変化が生じた場合に、その旨を通知する状態通知信号である。なお、本実施形態においては、これらのメッセージには、送信元の交換機を特定するＰＣ番号やＣＩＣ番号、ＴＧＮ番号などの交換機識別情報が含まれている。
【００２１】
集約装置２は、本実施形態では、メッセージ受信部２１と、判別部２２と、検索部２３と、フィルタデータベース部２４と、処理部２５と、管理データベース部２６とを備えている。
【００２２】
メッセージ受信部２１は、各交換機Ａ〜Ｄと通信回線により接続され、交換機Ａ〜Ｄから各種メッセージを受信するものである。本実施形態では、このメッセージ受信部２１に管理データベース部２６が接続されており、受信した全メッセージを管理データベース部２６内に格納された管理テーブル２ａに蓄積する。
【００２３】
判別部２２は、メッセージ受信部２１に接続されており、メッセージ受信部２１が受信したメッセージの種類を判別するものである。本実施形態において、この判別手段２２は、交換機識別情報に基づいて状態通知信号の種類を判別する機能を有し、同一の事象に基づくメッセージを複数受信した場合に、交換機識別情報に基づいて動作状態が変化した交換機を特定するとともに、これら複数の状態通知信号のうち状態が変化した交換機から送信された状態通知信号を選択する機能をも有する。
【００２４】
フィルタデータベース部２４は、メッセージの種類と、種類に応じた処理に関する処理情報とを対応付けて蓄積する蓄積手段であり、本実施形態では、メッセージの種類と各種類に応じた処理、例えば、操作端末３に表示させるか否か等とを関連付けたフィルタテーブル２４ａを格納している。このフィルタテーブル２４ａには、例えば工事等による通信回線遮断など、予め知ることのできる事象に基づくメッセージ（ここでは、交換機Ａが復旧した際の交換機Ｂ〜ＤからのメッセージＡ）を登録する。
【００２５】
検索部２３は、判別部２２による判別結果に応じてフィルタデータベース部２４を検索するものである。具体的には、判別部２２が判別したメッセージの種類に基づいて、フィルタデータベース部２４内に格納されたフィルタテーブル２４ａを照合し、種類に関連付けられた処理方法を検出する。この検出された処理方法は、処理部２５に受け渡される。
【００２６】
処理部２５は、検索部２３から受け取った検索結果に応じて処理を行うものであり、この処理には、複数受信したメッセージの中から所定のメッセージを抽出し、抽出したメッセージを送信する処理が含まれる。
【００２７】
管理データベース部２６は、メッセージ受信部２１が受信した全メッセージを蓄積するものであり、具体的には、受信したメッセージの内容と、それを送信した交換機を特定する交換機識別情報とを対応付けて、受信順にログとして保持する管理テーブル２６ａを格納している。
【００２８】
（交換機監視システムによる交換機監視方法）
上記構成を有する本実施形態に係る交換機監視システムを用いた交換機監視方法について、以下に説明する。図２は、本実施形態に係る交換機監視方法の手順を示すフロー図である。
【００２９】
同図に示すように、例えば交換機Ａにおいて故障が生じ（Ｓ１０１）、復旧工事により復旧が完了すると（Ｓ１０２）、復旧した旨を通知するメッセージＢが、交換機Ａから集約装置２に対して送信される（Ｓ１０３）。これに合わせて、他の交換機Ｂ〜Ｄは、交換機Ａの動作状態が変化し、交換機Ａ向けの回線が再開したことを検知し、その旨を通知するメッセージＡを集約装置２に対して送信する（Ｓ１０４）。
【００３０】
なお、ステップＳ１０１においては、交換機Ａの故障や工事等により、他の交換機Ｂ〜Ｃから交換機Ａに向けての通信が遮断される。このため、各他の交換機Ｂ〜Ｃは、接続相手である交換機Ａの動作状態が変化したと判断し、その旨のメッセージをメッセージ受信部２１に向けて送信する（Ｓ２０４）。このメッセージも、予め知ることができるものである場合には、その種類をフィルタテーブル２４ａに登録しておくことにより、フィルタリングすることができる。
【００３１】
メッセージ受信部２１は、交換機Ａ及び他の交換機Ｂ〜Ｄから送信されたメッセージＡ及びＢを受信し（Ｓ１０５）、全メッセージを管理データベース部２６に蓄積するとともに（Ｓ１１０）、判別部２２に全メッセージを送出する。判別部２２は、受け取った全メッセージを解析し、各メッセージの種類を判別し（Ｓ１０６）する。ここでは、メッセージＡ及びＢは、交換機Ａが再開したという内容であることから、同一の事象に基づくメッセージであると判別される。判別部２２は、各メッセージに対する判別結果とともに検索部２３に渡す。
【００３２】
検索部２３では、受け取った判別結果に基づいてフィルタテーブル２４ａを照合し（Ｓ１０７）、各メッセージに対する処理方法を指示して、処理部２５にメッセージを転送する。ここでは、端末機特定情報とメッセージ種類に応じて、操作端末３に表示するか否かの指示を行う。
【００３３】
処理部２５では、検索部２３による指示に応じて各メッセージ毎の処理を行う。ここでは、操作端末３に対する表示の有無を処理するため、操作端末３に送信するメッセージを選択し（Ｓ１０８）、選択したメッセージを操作端末３に送信する（Ｓ１０９）。操作端末３側では、受け取ったメッセージのみを表示する（Ｓ１１１）。
【００３４】
（交換機監視システム及び交換機監視方法による作用・効果）
以上説明した本実施形態に係る交換機監視システム及び交換機監視方法によれば、フィルタデータベース部２４に、予め交換機ＡからのメッセージＢと、これに応じた処理と関連付けるフィルタテーブル２４ａを格納しておき、このフィルタテーブル２４ａを用いることによってメッセージの重要度に応じた処理を行うことができ、交換機監視システムの適正な運用を確保することができる。
【００３５】
特に、本実施形態では、工事等、同一の事象に基づくメッセージＡ及びＢを複数受信した場合に、複数の受信したメッセージＡ及びＢのうち工事に係る交換機Ａから送信されたメッセージＢのみを選択して、操作端末３に表示させるため、重要なメッセージＢが見落とされる等の弊害を回避することができる。
【００３６】
また、工事など予め知ることができる通信遮断が生じる端末機のＰＣ番号やＣＩＣ番号をフィルタテーブル２４ａに登録しておき、メッセージを処理する際には、これらＰＣ番号やＣＩＣ番号に基づいて故障が生じた交換機Ａを特定することにより、メッセージの重要度をより精度良く判別することができる。
【００３７】
【発明の効果】
以上説明したように本発明の交換機監視システム、集約装置及び交換機監視方法によれば、通信回線間の接続交換を行う交換機から送信される状態通知信号のうち、真に重要性の高いもののみを操作端末を介してオペレータに提示することができ、交換機システムの一元監視及び操作をより確実なものとすることができる。
【図面の簡単な説明】
【図１】本実施形態に係る交換機監視システムの全体構成を示すブロック図である。
【図２】本実施形態に係る交換機監視システムによる監視方法の手順を示すフロー図である。
【図３】従来の交換機オペレーションシステムの全体構成を示すブロック図である。
【符号の説明】
Ａ〜Ｄ…交換機
２…集約装置
３…操作端末
２１…メッセージ受信部
２２…判別部
２３…検索部
２４…フィルタデータベース部
２４ａ…フィルタテーブル
２５…処理部
２６…管理データベース部
２６ａ…管理テーブル
【図１】
0004048034.tif 000002
【図２】
0004048034.tif 000003
【図３】
0004048034.tif 000004